(57)【要約】【課題】精神疾患を有する検査端末の患者に対し的確な投薬指示信号を供給する。【解決手段】ネットワーク等を介して検査端末２と接続された精神疾患検査システム１００の検査装置本体１は、患者の脳血流計測に用いる一連の言語流暢性課題を作成する課題作成部１２と、前記言語流暢性課題を用いた前記検査端末における予備検査にて計測された前記患者の脳血流情報に基づいて前記言語流暢性課題に対する前記患者の経験度を判定する経験度判定部１３２と、前記経験度の判定結果を用いて前記一連の言語流暢性課題の中から選択した言語流暢性課題を用い前記検査端末において行われる本検査にて計測された前記患者の脳血流情報に基づいて疾患状態を判定する疾患状態判定部１３４とを備える。【選択図】  図１
2012080975.tif 000002
【特許請求の範囲】
【請求項１】
ネットワーク等を介して接続された検査装置本体と検査端末を有する精神疾患検査システムにおいて、
前記検査装置本体は、
精神疾患を有した患者の脳血流計測に用いる一連の言語流暢性課題を作成する課題作成手段と、
前記言語流暢性課題を用いた前記検査端末における予備検査にて計測された前記患者の脳血流情報に基づいて前記言語流暢性課題に対する前記患者の経験度を判定する経験度判定手段と、
前記経験度の判定結果を用いて前記一連の言語流暢性課題の中から選択した言語流暢性課題を用い前記検査端末において行われる本検査にて計測された前記患者の脳血流情報に基づいて疾患状態を判定する疾患状態判定手段とを備え、
前記検査端末は、
前記課題作成手段によって作成された前記言語流暢性課題を用いて前記予備検査及び前記本検査の脳血流計測を行なう血流情報計測手段を備えたことを特徴とする精神疾患検査システム。
【請求項２】
前記検査装置本体は課題データベースを備え、前記課題作成手段は、前記課題データベースに保管された各種言語流暢性課題の中から、前記患者に対する最近の脳血流計測において使用した言語流暢性課題あるいは使用頻度が高い言語流暢性課題を排除し、残された複数の言語流暢性課題をシャッフル処理することにより前記一連の言語流暢性課題を作成することを特徴とする請求項１記載の精神疾患検査システム。
【請求項３】
前記経験度判定手段は、前記血流情報計測手段による前記予備検査の脳血流計測において計測された脳血流情報と患者単位で予め設定された閾値との比較により前記予備検査の脳血流計測に用いた前記言語流暢性課題に対する前記患者の経験度を判定することを特徴とする請求項１記載の精神疾患検査システム。
【請求項４】
前記血流情報計測手段を制御する制御手段を備え、前記制御手段は、前記経験度判定手段の判定結果に基づいて前記本検査の脳血流計測を開始させることを特徴とする請求項１記載の精神疾患検査システム。
【請求項５】
前記経験度判定手段は、前記予備検査の脳血流計測において計測された前記脳血流情報が所定期間内において所定の閾値を越えた場合、前記予備検査の脳血流計測に用いた言語流暢性課題に対する前記患者の経験度は低いと判定し、前記制御手段は、前記経験度判定手段によって前記患者の経験度が低いと判定された前記言語流暢性課題による前記本検査の脳血流計測を開始させることを特徴とする請求項４記載の精神疾患検査システム。
【請求項６】
前記検査装置本体は標準血流情報保管手段を備え、前記疾患状態判定手段は、前記標準血流情報保管手段によって予め保管されている前記患者の標準脳血流情報と前記血流情報計測手段によって計測された前記本検査の脳血流情報との比較により前記患者の疾患状態を判定することを特徴とする請求項１記載の精神疾患検査システム。
【請求項７】
前記検査装置本体は、前記疾患状態の判定結果に基づいて前記患者に対する投薬指示信号を生成する指示信号生成手段を備え、前記検査端末は、前記指示信号生成手段によって生成された前記投薬指示信号を出力する指示信号出力手段を備えたことを特徴とする請求項１記載の精神疾患検査システム。
【請求項８】
前記指示信号生成手段は、前記疾患状態判定手段による前記疾患状態の判定結果に基づいて前記患者の治療に好適な薬剤やその投薬量に関する前記投薬指示信号を生成することを特徴とする請求項７記載の精神疾患検査システム。
【請求項９】
前記検査端末は前記課題生成手段から供給される前記言語流暢性課題を表示する課題出力手段を備え、前記課題出力手段あるいは前記指示信号出力手段の少なくとも何れかは、光学的出力方式の出力部と音声出力方式の出力部を備えていることを特徴とする請求項７記載の精神疾患検査システム。
【請求項１０】
前記検査端末は前記課題生成手段から供給される前記言語流暢性課題を表示する課題出力手段を備え、前記課題出力手段あるいは前記指示信号出力手段の少なくとも何れかは、前記患者の母国語に対応した出力部を備えていることを特徴とする請求項７記載の精神疾患検査システム。
【請求項１１】
前記検査装置本体は装着判定手段を備え、前記装着判定手段は、前記血流情報計測手段から供給される脳血流情報の信号強度と予め設定された閾値との比較により前記患者の頭部に装着された血流情報検出部の装着状態を判定し、この装着状態が不良の場合、前記指示信号生成手段は、前記血流情報検出部を再装着する旨の指示信号を生成して前記指示信号出力手段へ供給することを特徴とする請求項７記載の精神疾患検査システム。
【請求項１２】
ネットワーク等を介して検査端末と接続された検査装置本体に対し、
精神疾患を有した患者の脳血流計測に用いる一連の言語流暢性課題を作成する課題作成機能と、
前記言語流暢性課題を用いた前記検査端末における予備検査にて計測された前記患者の脳血流情報に基づいて前記言語流暢性課題に対する前記患者の経験度を判定する経験度判定機能と、
前記経験度の判定結果を用いて前記一連の言語流暢性課題の中から選択した言語流暢性課題を用い前記検査端末において行われる本検査にて計測された前記患者の脳血流情報に基づいて前記患者の疾患状態を判定する疾患状態判定機能を
実行させることを特徴とする制御プログラム。
【発明の詳細な説明】
【技術分野】
【０００１】
本発明の実施形態は、言語流暢性課題が付与された患者の脳活動状態を計測することにより精神疾患の診断や疾患状態の判定を行なう精神疾患検査システムに関する。
【背景技術】
【０００２】
近年、我が国において急激に増加している自殺の要因に、うつ病、統合失調症、依存症等の精神疾患があり、政府機関もその対策に力を入れ始めている。精神疾患の患者に対する治療では、日々変化する症状に適合した薬剤の選択やその投薬量の設定が重要となるが、従来からの問診では正確な診断が困難であったため、不適当な薬剤の選択や投与量の設定が行なわれる場合があり、その副作用により症状がむしろ悪化するという危険性を有していた。
【０００３】
このような問題点を有する従来の問診を補助する方法として、「光トポグラフィー検査」と呼ばれる脳血流計測法が新たに開発され、２００９年には、先進医療技術として厚生労働省の認可を受けている。この脳血流計測法では、近赤外光の照射と受光が可能な検出器を精神疾患患者（以下では、患者と呼ぶ。）の頭部（前頭葉あるいは側頭葉）に装着した状態で、所定の言語流暢性課題を付与し、この言語流暢性課題の文字を頭文字とする言語をできる限り多く発話させた状態で脳血流計測を行なう。そして、このとき得られる２次元の血流分布データや時系列的な脳血流波形の形状に基づいて各種精神疾患の鑑別を行ない、前記脳血流波形の振幅情報等に基づいて疾患の程度（以下では、疾患状態と呼ぶ。）の判定を行なう。
【先行技術文献】
【特許文献】
【０００４】
【特許文献１】ＷＯ２００７−１４４９７７号公報
【発明の概要】
【発明が解決しようとする課題】
【０００５】
上述の脳血流計測法の適用によりその診断精度は飛躍的に向上し、例えば、各種精神疾患に対する鑑別を７０％乃至８０％の精度で行なうことが可能との報告がなされている。しかしながら、このような脳血流計測法によって得られる脳血流情報の値は、現行の脳血流計測に用いる言語流暢性課題と当該患者の過去の脳血流計測において用いられた言語流暢性課題とが同一か否かに依存すると考えられている。即ち、過去の言語流暢性課題と同一の言語流暢性課題が現行の脳血流計測において使用された場合には疾患状態の正しい判定が困難となり、従って、治療に好適な薬剤投与に関する指示を行なうことができないという問題点を有していた。
【０００６】
本開示は、このような従来の問題点に鑑みてなされたものであり、その目的は、患者に対し言語流暢性課題を付与した状態でその脳活動状態を示す脳血流情報を計測する際、設定された言語流暢性課題に対する患者の経験度を予め判定し、経験度の低い言語流暢性課題を用いることにより疾患状態を正確に判定することが可能な精神疾患検査システム及び制御プログラムを提供することにある。
【課題を解決するための手段】
【０００７】
上記課題を解決するために、本開示の精神疾患検査システムは、ネットワーク等を介して接続された検査装置本体と検査端末を有する精神疾患検査システムにおいて、前記検査装置本体は、精神疾患を有した患者の脳血流計測に用いる一連の言語流暢性課題を作成する課題作成手段と、前記言語流暢性課題を用いた前記検査端末における予備検査にて計測された前記患者の脳血流情報に基づいて前記言語流暢性課題に対する前記患者の経験度を判定する経験度判定手段と、前記経験度の判定結果を用いて前記一連の言語流暢性課題の中から選択した言語流暢性課題を用い前記検査端末において行われる本検査にて計測された前記患者の脳血流情報に基づいて疾患状態を判定する疾患状態判定手段とを備え、前記検査端末は、前記課題作成手段によって作成された前記言語流暢性課題を用いて前記予備検査及び前記本検査の脳血流計測を行なう血流情報計測手段を備えたことを特徴としている。
【図面の簡単な説明】
【０００８】
【図１】本実施形態における精神疾患検査システムの全体構成を示すブロック図。
【図２】本実施形態の課題データベースに保管された言語流暢性課題の具体例を示す図。
【図３】本実施形態の課題作成部によって作成される言語流暢性課題の具体例を説明するための図。
【図４】本実施形態において予め設定された最初の言語流暢性課題を用いて行なわれる脳血流計測を説明するための図。
【図５】本実施形態において予め設定された２番目の言語流暢性課題を用いて行なわれる脳血流計測を説明するための図。
【図６】本実施形態の精神疾患検査システムが備える血流情報計測部の具体的な構成を示すブロック図。
【図７】本実施形態における投薬指示信号の生成及び出力の手順を示すフローチャート。
【発明を実施するための形態】
【０００９】
以下、図面を参照して本開示の実施形態を説明する。
【００１０】
本実施形態に係る精神疾患検査システムは、患者に対し言語流暢性課題を付与した状態で脳血流計測を行なう際、疾患状態の判定を目的とした本検査の脳血流計測に先行する予備検査の脳血流計測によって言語流暢性課題に対する当該患者の経験度を予め判定し、経験度の低い言語流暢性課題を用いて本検査の脳血流計測を行なう。そして、その計測結果に基づいて疾患状態を判定し、その治療に好適な薬剤投与に関する指示信号（投薬指示信号）を出力する。
【００１１】
尚、以下の説明では、同一の医療施設あるいは異なる医療施設に設置された検査装置本体及び検査端末を用いて疾患状態の判定を目的とした脳血流計測を行なう場合について述べるが、これに限定されるものではなく、例えば、医療施設に設置された検査装置本体と患者宅に設置されネットワーク等を介して前記検査装置本体と接続された検査端末を用いて行なわれる脳血流計測であっても構わない。
【００１２】
（装置の構成）
本開示の実施形態における精神疾患検査システムの構成と機能につき図１乃至図６を用いて説明する。尚、図１は、精神疾患検査システムの全体構成を示すブロック図であり、図６は、この精神疾患検査システムが備える血流情報計測部の具体的な構成を示すブロック図である。
【００１３】
図１に示す精神疾患検査システム１００は、同一の医療施設あるいは異なる医療施設に設置された検査装置本体１と検査端末２を備えている。検査装置本体１は、ネットワーク等を介して接続された検査端末２に対する言語流暢性課題（以下では、言語課題と呼ぶ。）の供給、検査端末２から供給された脳血流情報に基づく疾患状態の判定及びこの判定結果に基づく投薬指示信号の生成等を行なう機能を有し、検査端末２は、検査装置本体１から供給される言語課題及び投薬指示信号の出力や前記言語課題が付与された当該患者の脳活動状態を示す脳血流情報の計測等を行なう機能を有している。
【００１４】
検査装置本体１は、各種の言語課題が予め保管されている課題データベース１１と、予備検査及び本検査の脳血流計測に用いる言語課題を作成する課題作成部１２と、検査端末２から供給される予備検査の脳血流情報に基づいて言語課題に対する患者の経験度を判定し、更に、本検査の脳血流情報に基づいて疾患状態の判定を行なう血流情報解析部１３と、疾患状態の判定結果に基づいた薬剤の選択及びその投薬量に関する投薬指示信号や検査端末２に備えられた後述の血流情報検出部２２６の装着に関する装着指示信号を生成する指示信号生成部１４と、血流情報解析部１３による経験度の判定結果や精神疾患状態の判定結果等を表示する表示部１５を備え、更に、上述の経験度判定結果や疾患状態判定結果を保存する判定結果記憶部１６と、患者情報の入力等を行なう入力部１７と、検査装置本体１が有する上述の各ユニット及び検査端末２が有する後述の各ユニットを統括的に制御するシステム制御部１８を備えている。
【００１５】
課題データベース１１には、精神疾患の診断や疾患状態の判定を目的とした脳血流計測において使用される各種の言語課題が識別コードを付帯情報として予め保管されている。図２は、課題データベース１１に保管されている言語課題の具体例を示したものであり、例えば、ア行の「課題１」には識別コード「ｃｏｄｅ１」が付加され、カ行の「課題２」には識別コード「ｃｏｄｅ２」が付加されている。同様にして、サ行の「課題３」、タ行の「課題４」、・・・・ラ行の「課題９」には識別コード「ｃｏｄｅ３」、「ｃｏｄｅ４」、・・・「ｃｏｄｅ９」が付加されている。更に、「課題１」乃至「課題９」の各々には、当該患者や他の患者の過去の脳血流計測における使用年月日や使用頻度（回数）等の情報が付加されている。
【００１６】
図１へ戻って、検査装置本体１の課題作成部１２は、図示しないシャッフル処理部とグルーピング処理部を有し、課題データベース１１から読み出した複数の言語課題に対してシャッフル処理とグルーピング処理を行なって脳血流計測に用いる言語課題を作成する機能を有している。即ち、課題作成部１２は、課題データベース１１から読み出した各種言語課題の中から当該患者に対する過去の脳血流計測において使用していない言語課題あるいは使用頻度が極めて低い言語課題を選択する。そして、得られた複数の言語課題に対しシャッフル処理とグルーピング処理を行なって脳血流計測に使用する言語課題を作成する。
【００１７】
課題作成部１２によって作成された言語課題の具体例につき図３を用いて説明する。課題作成部１２は、課題データベース１１から読み出した、例えば、「課題１」乃至「課題９」の付帯情報を参照することにより当該患者に対する最近の脳血流計測において使用した言語課題あるいは使用頻度が高い言語課題（例えば、「課題７」）を排除する。そして、残された言語課題をシャッフル処理することにより、「課題３」、「課題５」、「課題９」、「課題２」、・・・・「課題１」を使用優先度が高い順に再配列し、更に、これらの言語課題を所定のサイズにグルーピングする。
【００１８】
即ち、上述のシャッフル処理やグルーピング処理により、課題データベース１１に保管されていた「課題１」乃至「課題９」は、使用優先度が高い「課題３」、「課題５」及び「課題９」を有するグループＡと、使用優先度が中程度の「課題２」、「課題８」及び「課題６」を有するグループＢと、使用優先度が低い「課題４」及び「課題１」を有するグループＣに区分される。
【００１９】
次に、図１に示した検査装置本体１の血流情報解析部１３は、検査端末２から供給される脳血流情報に基づき、患者の頭部に配置された後述する血流情報検出部２２６の装着状態を判定する機能と、予め設定された言語課題に対する当該患者の経験度を判定する機能と、当該患者の疾患状態を判定する機能を有し、装着判定部１３１、経験度判定部１３２、標準血流情報保管部１３３及び疾患状態判定部１３４を備えている。
【００２０】
装着判定部１３１は、検査端末２の血流情報計測部２２から供給される脳血流情報の信号強度（例えば、平均信号振幅）と予め設定された閾値αとを比較することにより患者の頭部に装着された血流情報検出部２２６の装着状態を判定し、装着状態が不良の場合にはその判定結果を指示信号生成部１４へ供給する。
【００２１】
一方、経験度判定部１３２は、課題作成部１２によって作成された言語課題を用いて行なわれる脳血流計測の予備検査において、検査端末２の血流情報計測部２２から供給される脳血流情報に基づきこの言語課題に対する当該患者の経験度を判定する機能を有し、患者単位で予め設定された閾値βが予め保管されている図示しない閾値保管部を有している。
【００２２】
尚、既に述べたように、言語課題を用いた脳血流計測において計測される脳血流情報の値（例えば、脳血流量）は、この脳血流計測において使用した言語課題が当該患者の過去の脳血流計測において使用した言語課題と同一か否かに依存し、過去の言語課題と同一の言語課題を用いた脳血流計測にて得られる計測開始直後の脳血流情報は、使用経験がない言語課題を用いた場合と比較して増大率が少なくなることが知られている。
【００２３】
本実施形態の経験度判定部１３２は、上述の事象に基づいて言語課題の経験度を本検査に先行して行なわれる予備検査において判定し、その判定結果を用いて本検査に好適な言語課題を設定する。
【００２４】
図４及び図５は、経験度判定部１３２の判定結果に基づいて行なわれる本検査の脳血流計測を説明するための図であり、図４は、予め設定された最初の言語課題（図３の「課題３」）を用いて本検査の脳血流計測が行なわれた場合を、又、図５は、予め設定された２番目の言語課題（図３の「課題５」）を用いて本検査の脳血流計測が行なわれた場合を夫々示している。
【００２５】
即ち、図４のｔ１は「課題３」による予備検査の脳血流計測が開始される時刻、［ｔ１−ｔ２］は、経験度判定部１３２により「課題３」に対する経験度判定が行なわれる予備検査の期間、［ｔ２−ｔ３］は、経験度判定部１３２の判定結果に基づいて「課題３」を用いた本検査の脳血流計測が行なわれる期間を示している。
【００２６】
この場合、経験度判定部１３２は、「課題３」の予備検査にて検査端末２の血流情報計測部２２から供給される時系列的な脳血流情報（例えば、脳血流量の時間的変化）Ｇ（ｔ）と自己の閾値保管部から読み出した閾値βとを比較することにより当該患者の「課題３」に対する経験度を判定する。
【００２７】
具体的には、時刻ｔ１を起点として予め設定された期間ΔＴにおいて脳血流情報Ｇ（ｔ）が閾値βを超えるか否かを計測し、ΔＴの期間内に脳血流情報Ｇ（ｔ）が閾値βを超えた場合には「課題３」に対する患者の経験度は小さいと判定する。そして、この判定結果に従って「課題３」を用いた本検査が継続して行なわれる。このとき、期間［ｔ１−ｔ２］の予備検査にて計測された脳血流情報Ｇ（ｔ）と期間［ｔ２−ｔ３］の本検査にて計測された脳血流情報Ｇ（ｔ）を用いた疾患状態の判定が後述する疾患状態判定部１３４によって行なわれる。尚、図４では、期間ΔＴと予備検査の期間［ｔ１−ｔ２］とが等しく設定された場合について示しているが、これに限定されない。
【００２８】
一方、図５の時刻ｔ１１は、「課題３」による予備検査の脳血流計測が開始される時刻を示しており、時刻ｔ２１は、「課題５」による予備検査の脳血流計測が開始される時刻を示している。又、［ｔ１１−ｔ２２］は、経験度判定部１３２により「課題３」及び「課題５」に対する経験度判定が行なわれる予備検査の期間、［ｔ２２−ｔ２３］は、経験度判定部１３２の判定結果に基づいて「課題５」を用いた本検査の脳血流計測が行なわれる期間を夫々示している。
【００２９】
この場合、経験度判定部１３２は、「課題３」の予備検査にて検査端末２の血流情報計測部２２から供給される時系列的な脳血流情報Ｇ（ｔ）と自己の閾値保管部から読み出した閾値βを比較することにより「課題３」に対する当該患者の経験度を判定する。そして、図５に示すように時刻ｔ１１を起点とする期間ΔＴにおいて脳血流情報Ｇ（ｔ）が閾値βを超えない場合には、「課題３」に対する患者の経験度は大きいと判定し、「課題３」を「課題５」に変更した予備検査を時刻ｔ２１を起点とする期間ΔＴにおいて行なう。即ち、「課題５」を用いた予備検査にて血流情報計測部２２から供給される脳血流情報Ｇ（ｔ）と閾値βとを比較し、ΔＴの期間内において脳血流情報Ｇ（ｔ）が閾値βを超えた場合には、「課題５」に対する患者の経験度は小さいと判定する。そして、この判定結果に従って「課題５」を用いた本検査が継続して行なわれる。このとき、期間［ｔ２１−ｔ２２］の予備検査にて計測された脳血流情報Ｇ（ｔ）と期間［ｔ２２−ｔ２３］の本検査にて計測された脳血流情報Ｇ（ｔ）を用いた疾患状態の判定が疾患状態判定部１３４によって行なわれる。
【００３０】
尚、図５の期間［ｔ１２−ｔ２１］は、「課題３」によって増大した脳血流情報を元の状態へ戻すための期間であり、「課題５」を用いた予備検査における「課題３」の影響を排除するために設定されている。
【００３１】
再び図１へ戻って、標準血流情報保管部１３３には、患者単位で設定された各種の標準脳血流情報が予め保管されている。この標準脳血流情報は、当該患者あるいは他の患者に対する過去の脳血流計測において収集された患者単位の平均的な脳血流情報であり、これらの標準脳血流情報に対応した薬剤の投薬量に関する情報や患者ＩＤ等の患者情報も上述の標準脳血流情報と共に保管されている。
【００３２】
疾患状態判定部１３４は、上述の標準脳血流情報と検査端末２の血流情報計測部２２から供給される本検査の脳血流情報とを比較することにより検査時における当該患者の疾患状態を判定し、その判定結果に基づいて治療に好適な薬剤やその投薬量を決定する機能を有している。
【００３３】
即ち、疾患状態判定部１３４は、入力部１７から供給される当該患者の患者情報を受信し、この患者情報と同一の患者情報を付帯情報とする標準脳血流情報を標準血流情報保管部１３３に保管されている各種標準脳血流情報の中から抽出する。そして、血流情報計測部２２から供給される本検査の脳血流情報と上述の標準脳血流情報との比較結果（例えば、脳血流量の差異）に基づいて当該患者の治療に好適な薬剤及びその投薬量を決定する。
【００３４】
次に、指示信号生成部１４は、検査端末２へ供給するための各種指示信号を生成する機能を有している。例えば、血流情報解析部１３の装着判定部１３１により患者の頭部に装着された血流情報検出部２２６の装着状態が不良と判定された場合、この判定結果を受信した指示信号生成部１４は、血流情報検出部２２６を再装着する旨の指示信号（装着指示信号）を生成して検査端末２が備える後述の指示信号出力部２３へ供給する。又、疾患状態判定部１３４により精神疾患を有した当該患者の治療に好適な薬剤及びその投薬量が決定された場合、指示信号生成部１４は、決定された薬剤を投与するための指示信号（投薬指示信号）を生成して指示信号出力部２３へ供給する。
【００３５】
表示部１５は、図示しない表示データ生成部と変換処理部とモニタを備え、課題作成部１２によって作成された言語課題、血流情報解析部１３による言語課題経験度の判定結果及び疾患状態の判定結果、指示信号生成部１４において生成された各種指示信号、検査端末２の血流情報計測部２２から供給される予備検査及び本検査の脳血流情報、更には、標準血流情報保管部１３３から抽出された標準脳血流情報等を必要に応じて表示する。この場合、表示データ生成部は、上述の各種情報を所定の表示フォーマットに変換して表示データを生成し、変換処理部は、前記表示データに対しＤ／Ａ変換やテレビフォーマット変換等の変換処理を行なってモニタに表示する。
【００３６】
一方、判定結果記憶部１６には、血流情報解析部１３の経験度判定部１３２において得られた経験度の判定結果や疾患状態判定部１３４において得られた疾患状態の判定結果、更には、これらの判定結果に基づいて指示信号生成部１４が生成した各種指示信号等が保存される。
【００３７】
次に、入力部１７は、操作パネル上にキーボード、トラックボール、マウス、選択ボタン、入力ボタン等の入力デバイスと表示パネルを備え、患者名、患者ＩＤ，性別、年齢、国籍、視聴覚障害の有無、精神疾患名等を含む患者情報の入力や言語課題及び各種指示信号に対する出力方式の選択等を行なう。尚、言語課題及び指示信号の出力方式として、検査端末２に設けられたモニタ等を用いる光学的出力方式と、スピーカ等を用いて音声によって出力する音声出力方式があり、例えば、通常の患者や聴覚障害を有した患者に対しては前者の出力方式が選択され、視覚障害を有した患者に対しては後者の出力方式が選択される。更に、夫々の出力方式では、患者の母国語に対応した言語課題や指示信号の出力が可能である。
【００３８】
システム制御部１８は、図示しないＣＰＵと情報記憶部を備え、入力部１７において入力／選択された各種情報は、前記情報記憶部に保存される。一方、ＣＰＵは、情報記憶部に一旦保存された上述の各種情報に基づいて精神疾患検査システム１００が有する各ユニットを統括的に制御し、当該患者の脳血流計測に用いる言語課題の作成、脳血流情報の計測、予備検査の脳血流情報に基づいた言語課題経験度の判定、本検査の脳血流情報に基づいた疾患状態の判定、更には、疾患状態の判定結果に基づいた投薬指示信号の生成／出力等を実行させる。
【００３９】
次に、ネットワーク等を介して上述の検査装置本体１と接続された図１の検査端末２は、課題出力部２１、血流情報計測部２２及び指示信号出力部２３を備えている。
【００４０】
課題出力部２１は、検査装置本体１の課題作成部１２において作成された言語課題を出力する機能を有し、通常の精神疾患患者や聴覚障害を有する精神疾患患者に対応した光学的出力方式の言語課題出力部と視覚障害を有する精神疾患患者に対応した音声出力方式の言語課題出力部（何れも図示せず）を備えている。そして、例えば、光学的出力方式の言語課題出力部としてモニタが、又、音声出力方式の言語課題出力部としてスピーカが用いられ、これらの選択は、システム制御部１８から供給される患者情報や出力方式の選択情報に基づいて行なわれる。尚、夫々の言語課題出力部では、患者の母国語に対応した言語課題が出力される。
【００４１】
一方、血流情報計測部２２は、患者の頭部に照射した近赤外光の頭部表面近傍における反射／散乱を受光することにより、言語想起を伴う言語課題が付与された患者の血液内に存在するヘモグロビン等の分布やその時間的変化を計測する機能を有し、例えば、図６に示すように光源部２２１と、照射用光ファイバ２２２及び受光用光ファイバ２２３の先端部を含む血流情報検出部２２６と、受光部２２４と、Ａ／Ｄ変換部２２５を備えている。
【００４２】
光源部２２１において発生した、例えば、６９０ｎｍの波長を有する近赤外光は、血流情報検出部２２６の照射用光ファイバ２２２を介して患者の頭部２２０に照射される。次いで、頭部表面近傍で反射／散乱した近赤外光は、その先端部が照射用光ファイバ２２２に近接して配置された受光用光ファイバ２２３によって集光され、光電子増倍管やフォトダイオード等の光電変換素子を有した受光部２２４によって光電変換される。そして、受光部２２４において近赤外光から電気信号へ光電変換された反射／散乱信号はＡ／Ｄ変換部２２５によってデジタル信号に変換され、時系列的な脳血流情報として検査装置本体１の血流情報解析部１３へ供給される。
【００４３】
次に、指示信号出力部２３は、検査装置本体１の指示信号生成部１４から供給される血流情報検出部２２６の再装着に関する装着指示信号や薬剤投与に関する投薬指示信号をはじめとする各種指示信号を出力する機能を有し、上述の課題出力部２１と同様にして、通常の精神疾患患者や聴覚障害を有する精神疾患患者に対応した光学的出力方式の指示信号出力部と視覚障害を有する精神疾患患者に対応した音声出力方式の指示信号出力部（何れも図示せず）を備えている。そして、例えば、光学的出力方式の指示信号出力部としてモニタが、又、音声出力方式の指示信号出力部としてスピーカが用いられ、これらの選択は、システム制御部１８から供給される患者情報や出力方式選択情報に基づいて行なわれる。尚、夫々の指示信号出力部では、患者の母国語に対応した装着指示信号及び投薬指示信号が出力される。
【００４４】
（投薬指示信号の生成／出力手順）
次に、本実施形態の精神疾患検査システム１００による投薬指示信号の生成／出力手順を図７のフローチャートに沿って説明する。但し、ここでは、日本を国籍とし視聴覚障害を有さない検査端末２の精神疾患患者（当該患者）に対して投薬指示信号を供給する場合について述べる。
【００４５】
検査端末２が設置された検査室の当該患者に対する脳血流計測に先立ち、検査装置本体１の入力部１７において患者名、患者ＩＤ，性別、年齢、生年月日、国籍、視聴覚障害の有無等を含む患者情報を入力し、更に、視聴覚障害の有無や国籍等の情報に基づき、日本語による光学的出力方式を言語課題及び各種指示信号の出力方式として選択する。そして、これらの入力情報や選択情報は、システム制御部１８の情報記憶部に一旦保存される（図７のステップＳ１）。
【００４６】
次いで、検査装置本体１の課題作成部１２は、システム制御部１８から供給された上述の患者情報及び出力方式の選択情報に基づいて言語課題を作成する。即ち、課題作成部１２は、課題データベース１１から読み出した各種言語課題の中から当該患者に対する過去の脳血流計測にて使用していない言語課題あるいは使用頻度が極めて低い言語課題を選択する。そして、得られた複数の言語課題に対しシャッフル処理とグルーピング処理を行なって当該患者の脳血流計測に使用する言語課題を作成する（図７のステップＳ２）。
【００４７】
一方、検査端末２の当該患者は、照射用光ファイバ２２２及び受光用光ファイバ２２３の先端部を有した血流情報計測部２２の血流情報検出部２２６を自己の頭部に装着し（図７のステップＳ３）、この血流情報検出部２２６によって検出された脳血流情報は、血流情報計測部２２の受光部２２４及びＡ／Ｄ変換部２２５を介して検査装置本体１の血流情報解析部１３が備える装着判定部１３１へ供給される。
【００４８】
一方、血流情報計測部２２から上述の脳血流情報を受信した装着判定部１３１は、この脳血流情報の信号強度と予め設定された閾値αとを比較することにより、頭部に装着された血流情報検出部２２６の装着状態を判定する（図７のステップＳ４）。そして、装着状態は不良と判定した場合には、その判定結果を指示信号生成部１４へ供給し、この判定結果を受信した指示信号生成部１４は、血流情報検出部２２６を再装着する旨の装着指示信号を生成して検査端末２の指示信号出力部２３へ供給する。次いで、指示信号出力部２３に表示された上述の装着指示信号を観測した当該患者は血流情報検出部２２６の装着をやり直す。以下、同様の手順により、血流情報検出部２２６の再装着と再装着後の血流情報検出部２２６によって計測される脳血流情報に基づいた装着状態の判定を所定の信号強度が得られるまで繰り返し行なう（図７のステップＳ３及びステップＳ４）。
【００４９】
一方、上述のステップＳ４の判定により良好な装着状態が確認されたならば、システム制御部１８は、精神疾患検査システム１００が有する各ユニットを制御して予備検査を開始する（図７のステップＳ５）。
【００５０】
このとき、システム制御部１８から予備検査の開始指示信号を受信した課題作成部１２は、課題データベース１１から読み出した各種言語課題の中から当該患者に対する過去の脳血流計測にて使用していない言語課題あるいは使用頻度が極めて低い言語課題を選択する。そして、得られた複数の言語課題に対しシャッフル処理とグルーピング処理を行なって、例えば、図３に示すような言語課題を作成し、識別コード「ｃｏｄｅ３」を有する「課題３」を検査端末２の課題出力部２１へ供給することにより最初の言語課題を設定する（図７のステップＳ６）。
【００５１】
一方、課題作成部１２から供給され課題出力部２１のモニタに表示された「課題３」の言語課題を観測した検査端末２の当該患者は、所定時間の間、この「課題３」を頭文字とする言語を可能な限り多く発話する。そして、血流情報計測部２２は、上述の言語課題が付与されている患者の頭部に照射した近赤外光の頭部表面近傍における反射／散乱を受光することにより時系列的な脳血流情報を計測し、得られた脳血流情報を検査装置本体１の血流情報解析部１３が備える経験度判定部１３２へ供給する（図７のステップＳ７）。
【００５２】
上述の脳血流情報を受信した経験度判定部１３２は、この脳血流情報と自己の閾値保管部から読み出した閾値βとを比較し、「課題３」の付与が開始された時刻ｔ１を起点とする期間ΔＴにおいて脳血流情報の値が閾値βを超えるか否かを計測することにより「課題３」に対する当該患者の経験度を判定する（図７のステップＳ８）。
【００５３】
このとき、期間ΔＴにおける脳血流情報の値が閾値βを超えない場合には「課題３」に対する経験度は大きいと判定し、この「課題３」を識別コード「ｃｏｄｅ５」を有する「課題５」に変更した予備検査を後続する期間ΔＴにおいて行なう（図７のステップＳ９）。そして、期間ΔＴにおける脳血流情報の値が閾値βを超えるまで言語課題の更新と更新された言語課題による脳血流情報の計測を繰り返し行なう（図７のステップＳ７乃至ステップＳ９）。尚、疾患状態の悪化により、脳血流情報の値が低下している場合を考慮し、課題の更新が所定回数（例えばｎ回）行なわれた場合は、例えば、ｎ＋１回目の課題を用いて上述の検査を行なってもよい。
【００５４】
一方、「課題３」の言語課題あるいは更新された言語課題による脳血流情報の値が期間ΔＴにおいて閾値βを超えた場合にはこの言語課題に対する当該患者の経験度は小さいと判定し、この判定結果を受信したシステム制御部１８は、精神疾患検査システム１００の各ユニットを制御して上述の言語課題を用いた本検査を開始する（図７のステップＳ１０）。
【００５５】
このとき、検査端末２の血流情報計測部２２は、ステップＳ７と同様の手順により上述の言語課題が付与された当該患者の時系列的な脳血流情報を継続して計測する（図７のステップＳ１１）。一方、疾患状態判定部１３４は、システム制御部１８から供給される患者情報を受信し、この患者情報に対応する標準脳血流情報を標準血流情報保管部１３３に保管されている各種標準脳血流情報の中から抽出する。次いで、検査端末２の血流情報計測部２２から供給された本検査の脳血流情報と抽出した上述の標準脳血流情報とを比較することにより、当該患者の疾患状態を判定し、その判定結果に基づいて治療に好適な薬剤及びその投薬量を決定する（図７のステップＳ１２）。
【００５６】
次いで、指示信号生成部１４は、疾患状態判定部１３４から供給された上述の薬剤情報（薬剤及びその投薬量）に基づいた投薬指示信号を生成し、検査端末２に設けられた指示信号出力部２３のモニタに表示する（図７のステップ１３）。尚、上述のステップＳ１１における本検査の脳血流計測にて使用された言語課題は、患者情報、使用年月日、更新された使用頻度（回数）等を付帯情報として課題データベース１１に保存される。
【００５７】
以上述べた本実施形態によれば、精神疾患を有する患者に対し言語流暢性課題を付与することによってその脳血流計測を行なう際、作成された言語流暢性課題に対する当該患者の経験度を予め判定し、経験度の低い言語流暢性課題を用いて脳血流計測を行なうことにより脳活動状態や疾患状態を正確に把握することができる。このため、当該患者の治療に好適な薬剤及びその投薬量を的確に指示することが可能となる。
【００５８】
又、言語流暢性課題に対する経験度の判定は、疾患状態の判定を目的とした本検査に先行する予備検査において短時間で行なわれるため、大きな検査効率の低下を招くことなく適切な言語流暢性課題を設定することができる。特に、予め保管されている各種言語流暢性課題の中から選択された当該患者に対する最近の脳血流計測において使用されていない言語流暢性課題あるいは過去の脳血流計測において使用頻度が低い言語流暢性課題に対して上述の経験度判定が行なわれるため、本検査の脳血流計測に用いる言語流暢性課題を効率よく設定することができる。
【００５９】
更に、言語流暢性課題の出力方式は、当該患者の国籍や視聴覚障害の有無を考慮して選択されるため、如何なる患者に対しても正確な脳血流計測が可能となる。
【００６０】
一方、疾患状態の判定は、本検査の脳血流計測において収集された脳血流情報と患者単位で予め設定された標準脳血流情報との比較によって自動的に行なわれるため、疾患状態の正確な判定を短時間で実行することができる。
【００６１】
又、当該患者の頭部に配置された血流情報検査部における装着の良否を判定し、装着状態が不良の場合には、再装着する旨の装着指示信号を出力する機能を有しているため、常に、Ｓ／Ｎに優れた脳血流情報の計測が可能となる。
【００６２】
以上、本開示の実施形態について述べてきたが、本開示は、上述の実施形態に限定されるものではなく、変形して実施することが可能である。例えば、上述の実施形態では、同一の医療施設あるいは異なる医療施設に設置された検査装置本体１及び検査端末２を用いて精神疾患状態の判定を目的とした脳血流計測を行なう場合について述べたが、医療施設に設置された検査装置本体と患者宅に設置されネットワーク等を介して前記検査装置本体と接続された検査端末とを用いて行なわれる脳血流計測であっても構わない。この場合、検査装置本体及び検査端末の各々には、言語流暢性課題の送受信、血流情報計測結果の送受信及び各種指示信号の送受信を行なうネットワークインターフェースが備えられる。
【００６３】
又、上述の実施形態において検査装置本体１から検査端末２へ供給される言語流暢性課題及び各種指示信号は、独立した課題出力部２１及び指示信号出力部２３において出力される場合について述べたが、共通の出力部を用いて言語流暢性課題及び各種指示信号を出力してもよい。
【００６４】
更に、当該患者に対してリザーバ（薬剤注入装置）が装着されている場合には、指示信号生成部１４から供給される投薬指示信号に基づいてリザーバの動作を制御することにより、当該患者に対する薬剤投与を自動的に行なってもよい。
【００６５】
又、検査端末２の血流情報計測部２２は、検査装置本体１のシステム制御部１８から供給される制御信号に基づいて当該患者の脳血流情報を計測する場合について述べたが、検査装置本体１の指示信号生成部１４から検査端末２の指示信号出力部２３へ供給される検査開始指示信号に基づいて検査端末２の当該患者あるいは医療従事者が血流情報計測部２２の動作を開始させても構わない。
【００６６】
尚、本実施形態に係る精神疾患検査システム１００の一部は、例えば、コンピュータをハードウェアとして用いることでも実現することができる。即ち、精神疾患検査システム１００の血流情報解析部１３等は、上述のコンピュータに搭載されたＣＰＵ等のプロセッサに所定の制御プログラムを実行させることにより各種機能を実現することができる。この場合、精神疾患検査システム１００は、上述のプログラムをコンピュータに予めインストールしてもよく、又、コンピュータ読み取りが可能な記憶媒体へ保存あるいはネットワークを介して配布されたプログラムのコンピュータへのインストールであっても構わない。
【００６７】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００６８】
１…検査装置本体
１１…課題データベース
１２…課題作成部
１３…血流情報解析部
１３１…装着判定部
１３２…経験度判定部
１３３…標準血流情報保管部
１３４…疾患状態判定部
１４…指示信号生成部
１５…表示部
１６…判定結果記憶部
１７…入力部
１８…システム制御部
２…検査端末
２１…課題出力部
２２…血流情報計測部
２３…指示信号出力部
１００…精神疾患検査システム
【図１】
2012080975.tif 000003
【図２】
2012080975.tif 000004
【図３】
2012080975.tif 000005
【図４】
2012080975.tif 000006
【図５】
2012080975.tif 000007
【図６】
2012080975.tif 000008
【図７】
2012080975.tif 000009